(57)【要約】【課題】強度が十分高く、環境に順応して収容穀物の品質の劣化を防ぎ、燻蒸処理でき、使用後に廃棄処分して容易に自然に戻すことができる穀物用のフレコンバッグを提供する。【解決手段】ジュートの織布２１から底部３と周壁部４と天部５を有する袋本体２を形成し、この袋本体２の外面にジュート繊維よりも強度の高い繊維製ベルト６を縫付け掛け回して横ベルト７と縦ベルト８とし、さらに縦ベルト８を天部５より上方に延ばしてループ状吊りベルト９と、袋本体２の底部３中央部１０を二重底１１と、二重底１１の外底１２に設けた開口１４から内底１２を下方に露出させ穀物排出口１６として内底閉じ紐１７で閉鎖可能とし、周壁部４を上方に延ばして穀物装入口１９の筒体１８とし、天部閉じ紐２０で閉じて天部５とする。【選択図】　　　　図１
0003097060.tif 000002
【実用新案登録請求の範囲】
【請求項１】
天然繊維であるジュート繊維の織布２１から形成の底部３と周壁部４と天部５からなる袋本体２と、袋本体２の底部３と周壁部４の外面にジュート繊維より強度の高い繊維製ベルト６を水平方向及び垂直方向に縫付け掛け回した横ベルト７と縦ベルト８と、周壁部４の縦ベルト８を天部５の位置より上方に延ばしたループ状吊りベルト９と、袋本体２の底部中央部１０に形成した外底１２及び内底１３からなる二重底１１と、二重底１１の外底１２に設けた開口１４と、この開口１４から内底１２を下方に露出させ先端を穀物排出口１６とした筒状部１５と、筒状部１５の外面の外底１２の開口１４に設けた内底閉じ紐１７と、周壁部４を天部５の位置より上方へ延ばし先端を穀物装入口１９とした筒体１８と、筒体１８を閉じ天部５とする筒体１８外面に設けた天部閉じ紐２０からなることを特徴とする穀物収容用のフレコンバッグ１。
【請求項２】
ジュート繊維からなる織布２１はジュート繊維の撚糸からなることを特徴とする請求項１に記載の穀物収容用のフレコンバッグ１。
【請求項３】
ジュート繊維より強度の高い繊維製ベルト６は合成樹脂繊維であるポリプロピレン繊維またはポリエチレン繊維からなることを特徴とする請求項１または２に記載の穀物収容用のフレコンバッグ。
【請求項４】
ジュート繊維より強度の高い繊維製ベルト６はラミー繊維などのジュート繊維より強度の高い天然繊維からなることを特徴とする請求項１または２に記載の穀物収容用のフレコンバッグ。
【考案の詳細な説明】
【０００１】
【考案の属する技術分野】
本考案は、ジュートから取得の天然繊維からなる穀物等を搬送するためのフレキシブルコンテナーバッグ（本明細書で、「フレコンバッグ」という。）に関する。
【０００２】
【従来の技術】
米や麦や大豆等の穀物を搬送したり保管するための容器として使用されるフレコンバッグは、近年はポリプロピレン（ＰＰ）やポリエチレン（ＰＥ）などの合成樹脂繊維製の素材が大量生産でき、軽量であることから数多く製造され使用されている。しかし、このような合成樹脂繊維製のフレコンバッグは、軽量で大量生産できるが使用済みとなって廃棄するときに、自然崩壊して自然に戻ることがない。そこで廃棄処理のために燃焼処理すると有害ガスを放出することとなり、環境を害する恐れがある。このため化学的に処理する必要があるが、化学処理に費用がかかる問題がある。
【０００３】
さらに、合成樹脂繊維製のフレコンバッグは化学繊維であるため、その周囲の環境、特に多湿な地域や乾燥した地域におけるそれぞれの湿度変化に左右され難い。このためこのような合成樹脂繊維製のフレコンバッグに穀物を収納して輸出入で海外に搬送するとき、その地域毎の環境の変化に追従し難く、直接その地域の環境の影響が収納した穀物に作用することとなり、例えば湿潤地帯を通過するときは穀物を湿潤化し、乾燥地帯を通過するときは穀物を乾燥することとなり、このために穀物の品質を劣化する問題がある。さらに、穀物は輸出入のために燻蒸処理するする必要があるが、穀物を収容するフレコンバッグはこのために通気性が要求される問題がある。
【０００４】
【考案が解決しようとする課題】
本考案が解決しようとする課題は、合成樹脂繊維製の穀物収容用のフレコンバッグの問題点を解消し、強度が十分高く荷揚げなどの搬送に耐えることができ、環境に容易に順応して収容した穀物の品質の劣化を防ぎ、燻蒸処理などをすることができ、さらに使用後に廃棄処分する際に出来るだけ手をかけずに容易に自然に戻すことのできる穀物収容用のフレコンバッグを提供することである。
【０００５】
【課題を解決するための手段】
上記の課題を解決するための本考案の手段は、請求項１の考案では、天然繊維であるジュート繊維の織布２１から形成の底部３と周壁部４と天部５からなる袋本体２と、袋本体２の底部３と周壁部４の外面にジュート繊維より強度の高い繊維製ベルト６を水平方向及び垂直方向に縫付け掛け回した横ベルト７と縦ベルト８と、周壁部４の縦ベルト８を天部５の位置より上方に延ばしたループ状吊りベルト９と、袋本体２の底部中央部１０に形成した外底１２及び内底１３からなる二重底１１と、二重底１１の外底１２に設けた開口１４と、この開口１４から内底１２を下方に露出させ先端を穀物排出口１６とした筒状部１５と、筒状部１５の外面の外底１２の開口１４に設けた内底閉じ紐１７と、周壁部４を天部５の位置より上方へ延ばし先端を穀物装入口１９とした筒体１８と、筒体１８を閉じ天部５とする筒体１８外面に設けた天部閉じ紐２０からなることを特徴とする穀物収容用のフレコンバッグ１である。
【０００６】
請求項２の考案では、ジュート繊維からなる織布２１はジュート繊維の撚糸からなることを特徴とする請求項１の手段の穀物収容用のフレコンバッグ１である。
【０００７】
請求項３の考案では、ジュート繊維より強度の高い繊維製ベルト６はポリプロピレン繊維またはポリエチレン繊維からなることを特徴とする請求項１または２の手段の穀物収容用のフレコンバッグである。
【０００８】
請求項４の考案では、ジュート繊維より強度の高い繊維製ベルト６はラミー繊維などのジュート繊維より強度の高い天然繊維からなることを特徴とする請求項１または２の手段の穀物収容用のフレコンバッグである。
【０００９】
【考案の実施の形態】
本考案の実施の形態を図面を参照して以下に説明する。図１は本考案のフレコンバッグの概略を説明する斜視図である。図２は本考案のフレコンバッグをフォークリフトのフォークに吊り上げた状態を示す図である。図３は本考案のフレコンバッグの底部の概略図である。図４は本考案のフレコンバッグの底部側から見た概略図で、（ａ）は底部の説明図で、（ｂ）は底部から見た全体図である。
【００１０】
本考案のフレコンバッグ１は、天然繊維であるジュート繊維から織られた織布２１から形成されている。ところで、ジュート繊維はジュートの茎から採られた繊維であり通常単にジュートあるいは黄麻と呼ばれているが、繊維質は弱く、従って繊維の強度や耐久性、耐水性等の点で弱い。そこで、本考案に使用するジュート繊維の織布は、ジュート繊維の数本を単に撚った繊維でなく、撚った繊維を紡いで少なくとも２ｐｌｙの撚糸とし、この撚糸から織った織布２１である。単繊維をねじっただけの繊維から織った織布からなる袋は単繊維間に隙間が生じるため、これらの隙間から水分や不純物が袋内に入りやすい。しかし本考案は上記のように２ｐｌｙの撚糸から織った織布２１であるので、袋としたとき単繊維間の隙間がなくのなるため、水分や不純物が袋内に浸入し難くなる。この結果、ジュート布の耐久性が上がり袋の寿命が延びる。さらに、上記の撚糸を使用することにより強度が１５〜２０％向上する。
【００１１】
上記のように２ｐｌｙの撚糸からなる織布２１から、図１に示すように、底部３と周壁部４と天部５からなる袋本体２に形成する。この袋本体２は、その大きさが、例えば、横幅９０ｃｍ、奥行き９０ｃｍ、高さ１３０ｃｍの立方体からなるものとする。
【００１２】
さらに、この袋本体２の強度を補強すると共に搬送用の持ち手を形成するために、袋本体２の底部３と周壁部４の外面に、例えばポリプロピレン繊維あるいはポリエチレン繊維若しくはジュート繊維よりも強度の高いラミー繊維などの天然繊維からなる、例えば幅７ｃｍの繊維製ベルト６を横ベルト７と縦ベルト８として袋本体２の底部３および周壁部４に、水平方向及び垂直方向に縫付けて掛け回す。この様にして掛け回したポリプロピレン繊維あるいはポリエチレン繊維などの合成樹脂繊維やラミーなどの天然繊維からなるジュートより強度の高い繊維製ベルト６の周壁部４の垂直方向の縦ベルト８をそれぞれ袋本体２の天部５の高さ位置よりさらに上方に延ばし、周壁部４すなわち立方体の横壁の隣接する壁の垂直方向の縦ベルト８とでループ状吊りベルト９に形成するものとする。このループ状吊りベルト９は、図２に示すように、搬送時にフォークリフトのフォーク２２を挿通して荷役に使用するものである。
【００１３】
さらに、図３あるいは図４に示すように、袋本体２の底部３の中央部１０を外底１２及び内底１３からなる二重底１１に形成する。外底１２の中心部は十字状に開いて開口１４を形成する。そしてこの外底１２の十字状の開口１４の先端は十字に開いた奥の部分を除いて細長く折り返して袋にし、その袋の中に後述の内底閉じ紐１７を通す。
【００１４】
一方、二重底１１の外底１２に設けた開口１４から内底１３を下方に筒状部１５として露出させ、その筒状部１５の先端を穀物排出口１６とする。そして、筒状部１５の外面の外底１２の開口１４の折返し袋に上記した様に通した内底閉じ紐１７により、内底１３の筒状部１５を結んで閉じるものとする。
【００１５】
さらに、図１に示すように、袋本体２の周壁部４を天部５の位置より上方へ延ばして筒体１８とし、その先端の開口を穀物装入口１９とする。この筒体１８の部分には縦ベルト８の延長部のループ状吊りベルト９は縫い付けられていないものである。従って、筒体１８は内側に折りこんで天部５とする。さらに天部５の筒体１８の外面に天部閉じ紐２０を取り付け、穀物装入が終了するとこの天部閉じ紐２０により筒体１８を結合して閉じるものとする。
【００１６】
この本考案のフレコンバッグは穀物のみならず、大豆やその他の豆類、あるいはコーヒ豆などの収納袋としても利用できることはいうまでもない。
【００１７】
さらに、使用済みの本考案のフレコンバッグを廃棄するとき、ポリプロピレン繊維またはポリエチレン繊維からなる合成樹脂繊維からなる繊維製ベルト６の場合は縫い糸を外して袋本体２から合成樹脂の繊維製ベルト６を除去し、ラミー繊維などの天然繊維からなる繊維ベルト６の場合は繊維ベルト６を除去することなくそのまま、フレコンバッグを廃棄処分する。袋本体２は天然繊維のみからなるので、例えば土壌中に埋めても短年月で自然に崩壊し、環境を害することはない。
【００１８】
【考案の効果】
以上説明したとおり、本考案のフレコンバッグはジュートの繊維からから織った織布を袋本体とし、かつこのジュートの繊維の強度を補強するためにジュート繊維からなる袋本体を垂直方向および水平方向にポリプロピレンあるいはポリエチレンなど合成樹脂などからなる繊維製ベルト若しくはジュート繊維よりも強度の高いラミーなどの天然繊維からなる繊維製ベルトを掛けて縫い付け、さらにこの繊維製ベルトを吊り上げ用の吊りベルトとしたので、穀物等を収納したときに十分に荷役に耐えるフレコンバッグとすることができ、さらに袋本体を形成するジュート繊維も撚り糸から織成した織布としたので強度を一層に向上でき、さらに通気性も従来のプラスチック製のフレコンバッグに比してより優れているので、例えば穀物の燻蒸処理などが本考案のフレコンバッグのままで十分に可能で植物検疫燻蒸用の容器としても適するものであり、さらにジュート短繊維の単なる撚り繊維からなるものに比しても強度的に優れており、多湿あるいは乾燥などの環境下においても、本体のジュート繊維が湿度調整作用を有するので、穀物を長期に他国間を輸送したりあるいは長期の保管する際にも穀物の品質の劣化をすることがなく、かつ、使用済みのフレコンバッグを廃棄するときは、合成樹脂繊維の繊維製ベルトの場合はベルトのみを除去することで、環境を害すること無く、容易に土壌に帰すことができるなど、優れた効果を奏するものである。
【図面の簡単な説明】
【図１】本考案のフレコンバッグの概略を説明する斜視図である。
【図２】本考案のフレコンバッグを不オークリフトのフォークに吊り上げた状態を示す図である。
【図３】本考案のフレコンバッグの底部の概略図である。
【図４】本考案のフレコンバッグの底部側から見た概略図で、（ａ）は底部の説明図、（ｂ）は底部から見た全体図である。
【符号の説明】
１　フレコンバッグ
２　袋本体
３　底部
４　周壁部
５　天部
６　繊維製ベルト
７　横ベルト
８　縦ベルト
９　ループ状吊りベルト
１０　底部の中央部
１１　二重底
１２　外底
１３　内底
１４　開口
１５　筒状部
１６　穀物排出口
１７　内底閉じ紐
１８　筒体
１９　穀物装入口
２０　天部閉じ紐
２１　織布
２２　フォークリフトのフォーク
【図１】
0003097060.tif 000003
【図２】
0003097060.tif 000004
【図３】
0003097060.tif 000005
【図４】
0003097060.tif 000006